(57)【要約】  φ４８．６ｍｍの足場用単管による杭本体の下部にリング状の羽根を斜状に形成して、杭本体の端面と下端面を開口して貫通させ、羽根の位置を杭本体の下端より０ｍｍ〜２００ｍｍの範囲で調整でき、杭本体の上部に、手動時の回転棒を挿入したり、連結する部材を取り付けるための取付部を設け、羽根の直径を１００ｍｍから２００ｍｍとする羽根付き単菅杭であって、安価に製造でき、設置箇所の目印ピンを取り除く必要がなく、必要に応じて羽根の位置や大きさを変更でき、色々な部材に連結可能な単菅杭である。
2013146877.tif 000002
【特許請求の範囲】
【請求項１】
φ４８．６ｍｍの足場用単管による杭本体の下部にリング状の羽根を斜状に形成してなることを特徴とする羽根付き単管杭。
【請求項２】
杭本体の端面と下端面を開口して貫通してなることを特徴とする請求項１に記載の羽根付き単管杭。
【請求項３】
羽根の位置を杭本体の下端より０ｍｍ〜２００ｍｍとすることを特徴とする請求項１又は２に記載の羽根付き単管杭。
【請求項４】
杭本体の上部に、手動時の回転棒を挿入したり、連結する部材を取り付けるための取付部を設けることを設けてなることを特徴とする請求項１乃至３のいずれかに記載の羽根付き単管杭。
【請求項５】
羽根の直径を１００ｍｍから２００ｍｍとすることを特徴とする請求項１乃至４のいずれかに記載の羽根付き単管杭。
【発明の詳細な説明】
【技術分野】
【０００１】
本発明は、主に、杭打ち機械が入り込みにくい例えば公園内において仮説施設や常設施設を地面にしっかりと固定するための羽根付き単管杭に関するものである。
【背景技術】
【０００２】
従来の技術として、鋼管杭の先端を絞って尖端部としたものがある（特許文献１参照）。【０００３】
また、別の従来技術として、埋込み杭工法により地盤中に埋設施工する鋼管杭の先端部外周面に、予め鋼管を拡径変形して突起させた突起部を一定間隔の同一径部を持つように2段以上設け、その2段以上の突起部を軸方向耐力が向上するように異なる形状を持つようにしたことを特徴とする埋込み杭用鋼管杭がある（特許文献２参照）。
【先行技術文献】
【特許文献】
【０００４】
【特許文献１】特開平１１−９３１６３号公報の図３
【特許文献２】特開２００４−１２４４９１号公報
【発明の概要】
【発明が解決しようとする課題】
【０００５】
特許文献１に記載の技術は、鋼管杭先端を絞って尖端部としており、現在一般的に使用されている形状であるが、設置箇所の目印ピンを取り除く必要があり煩わしさがあるという問題があった。【０００６】
特許文献２に記載の技術は、鋼管杭の先端部を拡径変形してなるもので、埋込み用に開発された商品であるので、掘るには適さないという問題があった。【０００７】
本発明は、このような従来の構成が有していた問題を解決するもので杭本体φ４８．６ｍｍの足場用単管を使用するもので安価に製造でき、杭本体が上下貫通しているもので設置箇所の目印ピンを取り除く必要がない。さらに、必要に応じて羽根の位置や大きさを変更でき、色々な部材に連結すべく杭本体の上部に取付部を設けてなる羽根付き単管杭を提供することを目的とするものである。
【課題を解決するための手段】
【０００８】
請求項１に記載の羽根付き単管杭１は、φ４８．６ｍｍの足場用単管による杭本体２の下部にリング状の羽根３を斜状に形成してなることを特徴とする。【０００９】
請求項２に記載の羽根付き単管杭１は、請求項１において、杭本体２の端面と下端面を開口して貫通してなることを特徴とする。【００１０】
請求項３に記載の羽根付き単管杭１は、請求項１又は２において、羽根３の位置を杭本体２の下端より０ｍｍ〜２００ｍｍとすることを特徴とする。【００１１】
請求項４に記載の羽根付き単管杭１は、請求項１乃至３のいずれかにおいて、杭本体２の上部に、手動時の回転棒を挿入したり、連結する部材を取り付けるための取付部４を設けることを設けてなることを特徴とする。【００１２】
請求項５に記載の羽根付き単管杭１は、請求項１乃至４のいずれかにおいて、羽根３の直径を１００ｍｍから２００ｍｍとすることを特徴とする。
【発明の効果】
【００１３】
請求項１に記載の羽根付き単管杭１は、杭本体をφ４８．６ｍｍとすることにより、規格品が適用できるので安価に製造できる。【００１４】
請求項２に記載の羽根付き単管杭１は、請求項１の発明と同じ効果を奏するとともに、さらに上下を貫通させてなることにより、設置箇所の目印ピンＰを取り除く必要がなく目指にて位置確認もできる。【００１５】
請求項３に記載の羽根付き単管杭１は、請求項１又は２の発明と同じ効果を奏するとともに、設置する土質等により０ｍｍ〜２００ｍｍに変更でき、色々対応できる。【００１６】
請求項４に記載の羽根付き単管杭１は、請求項１乃至３のいずれかの発明と同じ効果を奏するとともに、取付部４により、色々な部材を連結できるため、多用途の使用ができる。【００１７】
請求項５に記載の羽根付き単管杭１は、請求項１乃至４のいずれかの発明と同じ効果を奏するとともに、アンカー効果のある羽根３の直径を１００ｍｍ〜２００ｍｍとすることができるので、連結する部材等の必要とする安定性能に合わせることができる。
【図面の簡単な説明】
【００１８】
【図１】本発明の羽根付き単管杭の正面図である。
【図２】本発明の羽根付き単管杭の底面図である。
【図３】取付キャップを設けた形態の要部正面図である。
【図４】本発明の羽根付き単管杭のスタート時の作動状態図である。
【図５】本発明の羽根付き単管杭の終了時の作動状態図である。
【図６】本発明の羽根付き単管杭の取付部にソーラーパネル台を連結してなる使用状態図である。
【発明を実施するための形態】
【００１９】
図１及び図２に本発明である羽根付き単管杭１を示す。羽根付き単管杭１は杭本体２、羽根３及び取付部４を備える形態からなる。杭本体２は一般に市販されているφ４８．６ｍｍの足場用単管であり、上下の端面を開口して貫通しており、前記杭本体２の長さＮは１０００ｍｍから２０００ｍｍである。そして、羽根３は、リング状の羽根で、直径Ｎ１を１００ｍｍから２００ｍｍとし、杭本体２の下端面より０ｍｍから２００ｍｍの高さＴに溶接等にて固定してある。取付部４は、杭本体２の上部に設けてなる連通孔による取付部で、手動時に回転棒を挿入したり、連結する部材をボルトやナットにて連結固定するものである。
【００２０】
上記形態により、羽根付き単管杭１は、安価に製造でき、設置箇所の目印ピンＰを取り除く必要がなく目指にて位置確認もでき、設置する土質等によりリング状の羽根の大きさによる貼り進むときの抵抗を調整でき、色々な部材を連結できて多用途の使用ができ、連結する部材等の必要とする安定性を確保できる。
【００２１】
つぎに、取付部４の他の形態を図３に示す羽根付き単管杭２１において説明する。連結する部材を取り付けるための取付部２４は、杭本体２に設けた上記取付部４にかぶせるキャップ状のもので、前記取付部４に穿孔された孔に連通する孔２４ａを設けてある（図３参照）。なお、取付部２４ａを使用する場合は、建柱車（図示せず）のアタッチメント（図示せず）に取り付け、機械的に回転させるための補強用である。
【００２２】
羽根付き単管杭１の埋設時の使用例について下記に説明する。例えば、図４に示すように、公園Ｋの所要位置に設けられた目印ピンＰ の上方より羽根付き単管杭１の杭本体２の下端面より挿入する。この状態で、羽根付き単管杭１の杭本体２の上端面を叩く（打撃）ことにより杭本体２の下面が地面Ｇに食い込み、羽根３が地面Gに当接したところで、取付部４に回転棒ＫＢを挿入し、回転させる（図４参照）。これを繰り返すことにより、図５に示すように地中ＴＴを掘り進み、所要位置で止める。
【００２３】
つぎに、図６に示すように、構造体を設置するときに使用する羽根付き単管杭１の使用例を説明する。所要間隔に埋設された羽根付き単管杭１の杭本体２上部の取付部４に、適寸にカットした単管ＴＫを自在クランプ（２つの単管を抱持し、所用の角度に保持するもの）ＺＫにて抱持固定し、同様に各単管ＴＫを同様に各自在クランプＺＫにて抱持連結し、例えばソーラーパネルＳＰの設置枠ＳＷを施工するものである。
【００２４】
上記実施例において、杭本体の長さは１０００ｍｍから２０００ｍｍの範囲内であれば、特に限定するものではない。また、取付部は例えば有底キャップとし、そのキャップにベンチの足を差し込んで固定することもできる。さらに、取付部をボルトやナットで、ポールやフェンス、標識等を立設することも一考である。なお、杭本体の上端面を打撃して地面に食い込ませる他に、重機(建柱車等)の回転アームに取り付けて埋設することも可能である。
【符号の説明】
【００２５】
１    羽根付き単管杭
２    杭本体
３    羽根
４    取付部
Ｐ    目印ピン
Ｇ    地面
ＴＫ  単管
【図１】
2013146877.tif 000003
【図２】
2013146877.tif 000004
【図３】
2013146877.tif 000005
【図４】
2013146877.tif 000006
【図５】
2013146877.tif 000007
【図６】
2013146877.tif 000008
【国際調査報告】
2013146877.tif 000009
2013146877.tif 000010